(57)【特許請求の範囲】
【請求項１】
日出没の状態の表示用の太陽マークが表示された文字板と、
前記文字板を覆って２４時間周期で回転し、その回転位置に応じて前記太陽マークの視認状態を変化させる日出没指示部を有する回転部材と、を備え、
前記文字板と前記回転部材とのうち一方に時刻を表す複数の指標が表示され、他方に前記回転部材の回転位置に応じて前記指標を指示する時刻指示部が形成され、
前記時刻指示部と前記日出没指示部とは、前記日出没指示部による前記太陽マークの視認状態が、前記時刻指示部により指示された前記指標に対応した時刻における前記日出没の状態となる位置関係で配置され、
前記時刻指示部は、前記複数の指標のうち時刻に対応した指標を露出させる表示窓である時計。
【請求項２】
日出没の状態の表示用の太陽マークが表示された文字板と、
前記文字板を覆って２４時間周期で回転し、その回転位置に応じて前記太陽マークの視認状態を変化させる日出没指示部を有する回転部材と、を備え、
前記文字板と前記回転部材とのうち一方に時刻を表す複数の指標が表示され、他方に前記回転部材の回転位置に応じて前記指標を指示する時刻指示部が形成され、
前記時刻指示部と前記日出没指示部とは、前記日出没指示部による前記太陽マークの視認状態が、前記時刻指示部により指示された前記指標に対応した時刻における前記日出没の状態となる位置関係で配置され、
前記時刻指示部は、前記複数の指標のうち時刻に対応した指標を露出させる表示窓であり、
前記時刻指示部及び前記日出没指示部は、前記回転部材の回転中心を挟んで互いに反対側の領域に形成されている時計。
【請求項３】
日出没の状態の表示用の太陽マークが表示された文字板と、
前記文字板を覆って２４時間周期で回転し、その回転位置に応じて前記太陽マークの視認状態を変化させる日出没指示部を有する回転部材と、を備え、
前記文字板と前記回転部材とのうち一方に時刻を表す複数の指標が表示され、他方に前記回転部材の回転位置に応じて前記指標を指示する時刻指示部が形成され、
前記時刻指示部と前記日出没指示部とは、前記日出没指示部による前記太陽マークの視認状態が、前記時刻指示部により指示された前記指標に対応した時刻における前記日出没の状態となる位置関係で配置され、
前記時刻指示部及び前記日出没指示部は、前記回転部材の回転中心を挟んで互いに反対側の領域に形成されている時計。
【請求項４】
日出没の状態の表示用の太陽マークが表示された文字板と、
前記文字板を覆って２４時間周期で回転し、その回転位置に応じて前記太陽マークの視認状態を変化させる日出没指示部を有する回転部材と、を備え、
前記文字板と前記回転部材とのうち一方に時刻を表す複数の指標が表示され、他方に前記回転部材の回転位置に応じて前記指標を指示する時刻指示部が形成され、
前記時刻指示部と前記日出没指示部とは、前記日出没指示部による前記太陽マークの視認状態が、前記時刻指示部により指示された前記指標に対応した時刻における前記日出没の状態となる位置関係で配置され、
前記複数の指標が前記文字板に表示され、
前記時刻指示部が前記回転部材に形成されている時計。
【請求項５】
前記日出没指示部は、前記回転位置に応じて前記太陽マークの露出状態を変化させることにより前記太陽マークの視認状態を変化させる表示窓であり、前記日出没の状態を前記太陽マークの露出状態で表した請求項１から４のうちいずれか１項に記載の時計。
【請求項６】
前記複数の指標が、前記太陽マークよりも外周側に、前記文字板の周方向に沿って並んで配置されている請求項１から５のうちいずれか１項に記載の時計。
【請求項７】
時計の中心回りに回転する指針により時刻を１２時間形式で表示する時刻表示部を備え、
前記文字板及び前記回転部材が、前記時計の中心から偏った位置に配置されている請求項１から６のうちいずれか１項に記載の時計。
【請求項８】
前記文字板の中心を挟んで前記太陽マークと反対側の位置に、月を表す月マークが形成され、
前記回転部材は、その回転位置に応じて前記月マークの視認状態を変化させる月指示部を有している請求項１から７のうちいずれか１項に記載の時計。
【請求項９】
前記複数の指標が前記回転部材に表示され、
前記時刻指示部が前記文字板に形成されている請求項１から７のうちいずれか１項に記載の時計。
【発明の詳細な説明】
【技術分野】
【０００１】
本発明は、時計に関し、詳細には、２４時間での日出没の状態を表示する時計に関する。
【背景技術】
【０００２】
時計は、主に指針によって時刻の数字を指し示すことで時刻を表示するが、このような時刻を指示する機能の他に、日の出から日の入り（日没）までの太陽の出没（日出没）の状態を直感的に表示する機能を有するものがある。この日出没の状態を表示するものとしては、例えば、窓が形成された窓部材の背面側に、回転する円板を配置したものがある。この円板の半分の角度領域には夜のイメージの絵（影の背景に三日月のマーク）が描かれ、残りの半分の角度領域には昼のイメージの絵（影の無い背景に太陽のマーク）が描かれ、２４時間周期で円板を回転させたときに、窓部材の窓から、昼のイメージの絵と夜のイメージの絵とを順次露出させることで、日出没の状態を直感的に表示している（例えば、特許文献１参照）。【０００３】
なお、窓部材には、周方向に沿って、日の出から日没までの時刻に対応した数字が並んで配置され、円板に描かれた昼のイメージの絵と夜のイメージの絵との境界線が、そのいずれかの数字を指し示すことで、現在の時刻を指示している。
【先行技術文献】
【特許文献】
【０００４】
【特許文献１】米国特許第４７５９００２号公報
【発明の概要】
【発明が解決しようとする課題】
【０００５】
先行技術文献に記載の時計は、円板に描いた昼と夜のイメージの絵を窓部材の窓から順次露出させて日出没の状態を表示させるために専用のムーブメントが必要であり、汎用性が低いため、コストがかかるという問題がある。【０００６】
本発明はこのような事情に鑑みなされたものであって、専用のムーブメントではなく汎用のムーブメントを用いて日出没の状態を直感的に表すことができる時計を提供することを目的とする。
【課題を解決するための手段】
【０００７】
本発明は、日出没の状態の表示用の太陽マークが表示された文字板と、前記文字板を覆って２４時間周期で回転し、その回転位置に応じて前記太陽マークの視認状態を変化させる日出没指示部を有する回転部材と、を備え、前記文字板と前記回転部材とのうち一方に時刻を表す複数の指標が表示され、他方に前記回転部材の回転位置に応じて前記指標を指示する時刻指示部が形成され、前記時刻指示部と前記日出没指示部とは、前記日出没指示部による前記太陽マークの視認状態が、前記時刻指示部により指示された前記指標に対応した時刻における前記日出没の状態となる位置関係で配置されている時計である。
【発明の効果】
【０００８】
本発明に係る時計によれば、専用のムーブメントではなく汎用のムーブメントを用いて日出没の状態を直感的に表すことができる。
【図面の簡単な説明】
【０００９】
【図１】本発明に係る時計の一実施形態である腕時計を示す平面図である。
【図２】図１における時刻３時位置に設けられた日出没表示部の構成を示す分解斜視図である。
【図３】図１における日出没表示部の拡大図である。
【図４Ａ】日出没表示部による２４時間形式での時刻の指示及びその時刻に対応づけられた日出没の状態の表示例を示す図であり、日の出の時刻頃の表示例である。
【図４Ｂ】日出没表示部による２４時間形式での時刻の指示及びその時刻に対応づけられた日出没の状態の表示例を示す図であり、正午（午前１２時）頃の表示例である。
【図４Ｃ】日出没表示部による２４時間形式での時刻の指示及びその時刻に対応づけられた日出没の状態の表示例を示す図であり、日の入の時刻頃の表示例である。
【図４Ｄ】日出没表示部による２４時間形式での時刻の指示及びその時刻に対応づけられた日出没の状態の表示例を示す図であり、夜間の表示例である。
【図５Ａ】透明な材料で形成された回転板と、小文字板との組み合わせで構成された日出没表示部を示す図３相当の平面図である。
【図５Ｂ】図５Ａに示した日出没表示部における小文字板の単体を示す平面図である。
【図５Ｃ】図５Ａに示した日出没表示部における回転板の単体を示す平面図である。
【図６】図５Ｃに示した回転板の表示窓の、回転方向の両端に近い部分にグラデーションを形成したものである。
【図７】小文字板に、数字、太陽マーク及び月マークの他に、夕焼け及び朝焼けを表現したグラデーションと、月マークの周囲に、星が輝く夜空の背景とを形成したものである。
【図８Ａ】腕時計において図１に示した日出没表示部に代えて適用される日出没表示部を示す平面図である。
【図８Ｂ】図８Ａに示した日出没表示部における小文字板の単体を示す平面図である。
【図８Ｃ】図８Ａに示した日出没表示部における回転板の単体を示す平面図である。
【図９】日出没表示部における回転板の切欠きのバリエーションを示す図（その１）である。
【図１０】日出没表示部における回転板の切欠きのバリエーションを示す図（その２）である。
【図１１Ａ】腕時計において図１に示した日出没表示部に代えて適用される日出没表示部を示す平面図である。
【図１１Ｂ】図１１Ａに示した日出没表示部における小文字板の単体を示す平面図である。
【図１１Ｃ】図１１Ａに示した日出没表示部における回転板の単体を示す平面図である。
【図１２Ａ】腕時計において図１に示した日出没表示部に代えて適用される日出没表示部を示す平面図である。
【図１２Ｂ】図１２Ａに示した日出没表示部における小文字板の単体を示す平面図である。
【図１２Ｃ】図１２Ａに示した日出没表示部における回転板の単体を示す平面図である。
【図１３Ａ】腕時計において図１に示した日出没表示部に代えて適用される日出没表示部を示す平面図である。
【図１３Ｂ】図１３Ａに示した日出没表示部における小文字板の単体を示す平面図である。
【図１３Ｃ】図１３Ａに示した日出没表示部における回転板の単体を示す平面図である。
【図１４Ａ】腕時計において図１３Ａに示した日出没表示部に代えて適用される日出没表示部を示す平面図である。
【図１４Ｂ】図１４Ａに示した日出没表示部における小文字板の単体を示す平面図である。
【図１４Ｃ】図１４Ａに示した日出没表示部における回転板の単体を示す平面図である。
【図１５Ａ】腕時計において図１３Ａに示した日出没表示部に代えて適用される日出没表示部を示す平面図である。
【図１５Ｂ】図１５Ａに示した日出没表示部における小文字板の単体を示す平面図である。
【図１５Ｃ】図１５Ａに示した日出没表示部における回転板の単体を示す平面図である。
【図１６Ａ】小文字板の目隠し帯の溝を形成する製造方法を示す側面図である。
【図１６Ｂ】図１６Ａに示した製造方法により溝が形成された小文字板を示す平面図である。
【図１６Ｃ】図１６Ｂに示した溝にめっきが施されて、着色された目隠し帯が形成された小文字板を示す平面図である。
【発明を実施するための形態】
【００１０】
以下、本発明に係る時計の実施形態について、図面を参照して説明する。
【００１１】
＜時計の全体構成＞
図１は、本発明に係る時計の一実施形態である腕時計１を示す平面図、図２は、図１における時刻３時位置に設けられた日出没表示部１０の構成を示す分解斜視図、図３は、日出没表示部１０の拡大図である。
【００１２】
図示の腕時計１は、文字板２の中心Ｃ１（時計の中心）回りに回転する時針３Ａ及び分針３Ｂにより、文字板２の外周部に１２個設けられたバーインデックス４を指し示すことで、時刻を１２時間形式で表示する時刻表示部５を有している。時針３Ａは１２時間で１回転し、分針３Ｂは６０分間で１回転する。
【００１３】
また、時針３Ａ及び分針３Ｂと同軸に、クロノグラフの秒針３Ｃが設けられている。クロノグラフの秒針３Ｃは、腕時計１のケース６に設けられた２つのプッシュボタン７Ａ，７Ｂによる操作で動作する。文字板２の中心Ｃ１に対して時刻９時方向に偏った位置には、クロノグラフ文字板８が設けられている。クロノグラフ文字板８は、中心Ｃ２回りに６０分で１回転するクロノグラフの分針３Ｄで指し示される６０分計時用の文字板である。なお、クロノグラフ文字板８は、時刻表示部５の文字板２の一部として形成されている。
【００１４】
文字板２の時刻６時方向の位置には、日付を表示する開口である日窓２Ａが形成されている。文字板２の背面には、日付用の数字が記載された日板が配置されていて、日板の数字の１つを日窓２Ａから露出することで、日付を表示する日付表示部９を構成している。時刻表示部５の時針３Ａ及び分針３Ｂ並びに日付表示部９の日板は、腕時計１のムーブメントの動作により動作しているが、ケース６に設けられたりゅうず７Ｃを操作することにより強制的に修正することができる。
【００１５】
＜日出没表示部の構成＞
文字板２の中心Ｃ１に対して時刻３時方向に偏った位置には、時刻を２４時間形式で表すとともにその２４時間形式の時刻に対応づけて日出没の状態で表示する日出没表示部１０が設けられている。日出没表示部１０が表示する日出没の状態は、日の出から日の入り（日没）までの太陽の出没（日出没）の状態を直感的に表示するものである。
【００１６】
なお、日出没表示部１０が表示する日出没の状態は、この腕時計１が置かれた国や地域における各日ごとの日の出の時刻や日の入りの時刻を厳密に反映したものではなく、太陽が出ている日中であるか、太陽が没した夜であるかを大まかに見て取れるようにしたものであり、２４時間形式で表された時刻に一律に固定されている。
【００１７】
日出没表示部１０は、図２に示すように、円形の小文字板２０（文字板の一例）と、小文字板２０を覆う、円形の一部が切り欠かれた外形の回転板３０（回転部材の一例）とにより構成されている。小文字板２０は、時刻表示部５の文字板２の一部として形成されている。小文字板２０には、２４時間形式で時刻を指示するための指標の一例として、２，４，…，２２，２４という１２個の数字２１が、中心Ｃ３回りの時計回り方向（右回り）に円周上に並んで表示されている。なお、時刻２４時に対応した数字２１が、時刻表示部５の小文字板２０の中では一番上の位置となり、時刻１２時に対応した数字２１が、時刻表示部５の小文字板２０の中では一番下の位置となるように配置されている。
【００１８】
また、小文字板２０には、日出没の状態の表示用の太陽マーク２２と、月を表す月マーク２３とが表示されている。太陽マーク２２と月マーク２３とは、形状（大きさや輪郭線の形状等）及び色を互いに異なるものとして視覚的に識別できるように形成されている。具体的には、太陽マーク２２は月マーク２３よりも大きく、例えば黄色で着色されている。一方、月マーク２３は、太陽マーク２２よりも小さく、例えば白色で着色されている。
【００１９】
本実施形態においては、小文字板２０の中心Ｃ３に近い側の領域に太陽マーク２２及び月マーク２３が配置され、太陽マーク２２及び月マーク２３よりも外周側の領域に数字２１が配置されている。また、太陽マーク２２は、中心Ｃ３を挟んで、時刻１２時に対応した数字２１と反対側（時刻２４時に対応した数字２１の内周側）に配置されている。月マーク２３は、中心Ｃ３を挟んで、太陽マーク２２と反対側の位置に配置されている。つまり、月マーク２３は、時刻２４時に対応した数字２１と反対側（時刻１２時に対応した数字２１の内周側）に配置されている。
【００２０】
回転板３０は、小文字板２０から突出するように中心Ｃ３に設けられた図示しない指針軸に取り付けられ、小文字板２０に重ね合わされて、中心Ｃ３回りに時計回り方向に２４時間周期で回転する。回転板３０は、不透明の金属材料で形成されている。回転板３０は、図２に示すように、円形のうち一部を三日月状に切り欠いた外形輪郭を有している。この三日月状に切り欠かれた切欠き３１は、回転板３０の回転位置に応じて、小文字板２０の数字２１のうち時刻に対応したいずれかの数字２１を示す時刻指示部の一例である。切欠き３１の回転方向の中央部３１ａは、数字２１の全体を露出させるが、切欠き３１の中央部３１ａを除いた部分は数字２１の全体を露出させない。したがって、切欠き３１は、時刻に対応して全体を露出させた１つの数字２１により時刻を示すため、時刻指示部として機能する。
【００２１】
また、回転板３０には２つの貫通した開口３２，３３が形成されている。１つの開口３２は、中心Ｃ３を挟んで切欠き３１とは反対側の領域に概略半円状に形成された表示窓の一例であり、回転により太陽マーク２２と重なる領域に形成され、回転板３０の回転位置に応じて太陽マーク２２の視認状態を変化させる日出没指示部の一例である。開口３２は、回転板３０の回転位置に応じて太陽マーク２２の露出状態を変化させることにより太陽マーク２２の視認状態を変化させて、日出没の状態を太陽マーク２２の露出状態で表す。切欠き３１と開口３２とは、開口３２による太陽マーク２２の視認状態が、切欠き３１により示された数字２１に対応した時刻における日出没の状態となる位置関係で配置されている。
【００２２】
開口３２の、回転方向に対応した中央部３２ａは、中心Ｃ３に対して、切欠き３１の中央部３１ａと反対の位置となっている。開口３２の中央部３２ａは、太陽マーク２２の全体を露出させる大きさに形成されている。開口３２の、回転方向の両端は、凹状の曲線で形成されていて、太陽マーク２２を三日月状に露出させる。なお、開口３２の両端は凹状の曲線に限らず直線で形成してもよい。
【００２３】
回転板３０の開口３２よりも外周側は、円弧の帯状の覆い部３４となっていて、覆い部３４は小文字板２０の外周に配置された数字２１を覆って、数字が視認されないように構成されている。したがって、覆い部３４の帯の幅は、数字２１の高さと同じ寸法か又は数字の高さよりも広い寸法となっている。なお、回転板３０は、表面に夜空をイメージした濃紺色の背景に白く輝く星の絵が記載されている。
【００２４】
開口３３は、開口３２よりは面積が小さく、月マーク２３よりも大きい面積の円形に形成されている。開口３３は、中心Ｃ３を挟んで開口３２の中央部３２ａとは反対側の、回転により月マーク２３と重なる領域に形成され、回転板３０の回転位置に応じて月マーク２３の視認状態を変化させる月指示部の一例である。したがって、回転板３０が回転して開口３２の中央部３２ａが太陽マーク２２を露出した状態で、開口３３は月マーク２３を露出する。
【００２５】
＜日出没表示部の作用＞
図４Ａ、図４Ｂ、図４Ｃ及び図４Ｄは、日出没表示部１０による２４時間形式での時刻の指示及びその時刻に対応づけられた日出没の状態の表示例を示す図であり、図４Ａは日の出の時刻頃の表示例、図４Ｂは正午（午前１２時）頃の表示例、図４Ｃは日の入の時刻に近づきつつある状態の表示例、図４Ｄは夜間の表示例、をそれぞれ示す。
【００２６】
日出没表示部１０の回転板３０は、ムーブメントによって、時刻表示部５の時針３Ａ及び分針３Ｂで表示さされる時刻に連動して回転し、回転板３０の切欠き３１の中央部３１ａに露出させた小文字板２０の数字２１が、時針３Ａが指し示す時刻の「時」に対応している。
【００２７】
したがって、図４Ａに示す状態では、日出没表示部１０は、切欠き３１の中央部３１ａに、「８」の数字２１を露出させているため、午前８時頃を指示している。このとき、開口３２は、太陽マーク２２を少しだけ露出させ、この太陽マーク２２の露出状態により、日出没表示部１０は日の出の状態を指示している。
【００２８】
次に、図４Ｂに示す状態では、日出没表示部１０は、切欠き３１の中央部３１ａに、「１２」の数字２１を露出させているため、正午（午前１２時）頃を指示している。このとき、開口３２は、太陽マーク２２が中央部３２ａにおいて全体を露出させ、この太陽マーク２２の露出状態により、日出没表示部１０は日中であることを指示している。なお、このとき、開口３３は月マーク２３を露出させる。
【００２９】
次に、図４Ｃに示す状態では、日出没表示部１０は、切欠き３１の中央部３１ａに、「１４」の数字２１を露出させているため、１４時（午後２時）頃を指示している。このとき、開口３２は、太陽マーク２２の大部分を露出しているが一部が開口３２から外れて回転板３０に隠され始めており、この太陽マーク２２の露出状態により、日出没表示部１０は日の入り状態に近づきつつあることを指示している。
【００３０】
次に、図４Ｄに示す状態では、日出没表示部１０は、切欠き３１の中央部３１ａに、「２２」の数字２１を露出させているため、２２時（午後１０時）頃を指示している。このとき、開口３２は、太陽マーク２２を露出させず、月指示部である開口３３が重なる部分以外は太陽マーク２２が回転板３０によって隠されており、この太陽マーク２２の露出状態により、日出没表示部１０は夜間であることを指示している。なお、開口３２は月マーク２３を露出して、夜間のイメージを強調している。
【００３１】
以上のように、本実施形態の腕時計１によれば、日出没表示部１０における太陽マーク２２により、日出没の状態を直感的に表すことができる。しかも、この日出没表示部１０は、２４時間形式で時刻を指し示す２４時間表示部を有する既存の腕時計において、中心Ｃ３回りに回転する指針に代えて回転板３０を配置し、２４時間表示部の既存の小文字板（２４時間形式で時刻を指示するための指標として、２，４，…，２２，２４という１２個の数字２１は形成されている）に太陽マーク２２の記載を追加するだけで構成することができる。したがって、日出没表示部１０のムーブメントとして専用のムーブメントを用いる必要がなく、２４時間表示部の指針用の既存の汎用ムーブメントをそのまま使うことができる。
【００３２】
特に、腕時計１は、文字板２の中心Ｃ１回りに回転する時針３Ａ及び分針３Ｂにより時刻を１２時間形式で表示する時刻表示部５を備えているため、ムーブメントの内部は、時刻表示部５を駆動するための歯車輪列やモータ等が既に配設されている。したがって、時刻表示部５を駆動する機構とは別に、日出没表示部１０を駆動する機構を専用に設けるのは構造の複雑化を招く。しかし、時刻表示部５の他に、時刻表示部５の中心Ｃ１に対して偏った位置に２４時間表示部を有する時計用のムーブメントは既に汎用のものがあり、本実施形態の腕時計１は、このようなムーブメントをそのまま利用することができるため、腕時計１としての製造コストを抑制することができる。
【００３３】
また、腕時計１は、回転板３０に形成された日出没指示部として、回転板３０の回転位置に応じて太陽マーク２２の露出状態を変化させることにより視認状態を変化させる表示窓である開口３２を適用した構成であるため、日出没の状態を太陽マーク２２の露出状態で表すことができ、使用者に対して、日出没状態を視覚面で直感的に認識させることができる。
【００３４】
同様に、腕時計１は、回転板３０に形成された時刻指示部として、回転板３０の回転位置に応じて露出させる数字２１を順次代えていく切欠き３１を適用した構成であるため、時刻に対応した数字２１を露出させて表すことができ、使用者に対して、時刻を視覚面で容易に認識させることができる。つまり、指針によって数字２１を指し示す２４時間表示部では、小文字板２０に形成されている全ての数字２１が使用者に視認されている状態であり、時刻表示部５の時針３Ａや分針３Ｂよりも小さく細い指針は視認し難い。
【００３５】
これに対して、腕時計１は、指示する時刻に対応した数字２１のみを露出させて、他の数字２１は露出しないため、使用者は、瞬間的に１つの数字２１だけを視認することができ、時刻を瞬時に認識することができる。なお、腕時計１は、切欠き３１が時刻に対応した１つの数字２１の他に、両隣の数字２１も露出させるが、両隣の数字２１は完全には露出せずに一部が隠された状態となるため、実質的に時刻に対応した１つの数字２１だけを露出させていることになる。
【００３６】
なお、小文字板２０において、数字２１は、太陽マーク２２の外周側に、小文字板２０の周方向に沿って並んで配置されているため、太陽マーク２２よりも内周側に配置されている場合よりも、各数字２１を大きく示すことができ、数字２１の視認性を向上させることができる。
【００３７】
また、腕時計１は、日出没表示部１０の回転板３０と交換される、２４時間表示部の既存の指針に比べて、支持される中心Ｃ３に対する重量バランスが均等化されるため、中心Ｃ３において回転板３０を支持する軸真に掛る負荷を低減することができる。特に、回転板３０は、真円の円板において、中心Ｃ３を挟んで互いに反対側となる２つの領域のうち一方の領域には大きな開口３２が形成され、他方の領域には比較的大きな切欠き３１と小さな開口３３とが形成されているため、中心Ｃ３を挟んだ２つの領域間の重量バランスがより均等化されている。さらに、開口３２によって露出される太陽マーク２２と切欠き３１によって示される時刻に対応した数字２１とが日出没表示部１０の範中で互いに離れた位置となるため、日出没表示部１０を見たときに、日出没の状態と２４時間形式の時刻とを明瞭に区別して認識することができる。
【００３８】
なお、上述した実施形態の腕時計１は、日出没表示部１０が、月マーク２３をも表示する構成であるが、本発明に係る時計は、月マーク２３を表示しなくてもよい。したがって、小文字板２０に月マーク２３を形成せず、回転板３０に開口３３を形成しなくてもよい。この場合、上述した重量バランスを均等化する観点からは、開口３３を形成しない代わりに、切欠き３１を少し大きくするのが好ましい。月マーク２３の表示は、後述する各変形例も同様であり、月マーク２３を表示した変形例であっても必ずしも設ける必要がなく、好みに応じて表示することができる。
【００３９】
また、上述した実施形態の腕時計１は、太陽マーク２２が円形であり、太陽を模した形状及び色とした例であるが、太陽マーク２２は、切欠き３１が指す時刻に対応する太陽の位置を表示すればよく、必ずしも太陽を模した形状や色にしなくてもよい。
【００４０】
＜変形例＞
（変形例１）
上述した実施形態の腕時計１は、回転板３０を不透明な金属材料で形成したため、日出没指示部を回転板３０の厚さ方向に貫通した開口３２とし、時刻指示部を回転板３０の厚さ方向に貫通した切欠き３１で構成したが、回転板３０を透明の樹脂材料や透明のガラス材料で形成した場合は、開口３２や切欠き３１を形成しなくてもよい。すなわち、開口３２に対応した日出没指示部及び切欠き３１に対応した時刻指示部をそれぞれ透明なままとし、その他の部分を不透明又は半透明で着色することで、透明なままの部分が日出没指示部として日出没状態を指示し、時刻指示部として時刻を指示することができる。
【００４１】
なお、回転板３０を厚さ方向に貫通した開口や切欠き、及び回転板３０を厚さ方向には貫通していないが透明な部分は、いずれも回転板３０の背面側に配置された部分を露出させる表示窓の一例である。上述した実施形態や変形例、及び後述する変形例においては、回転板又は小文字板の厚さ方向には貫通していないが透明な部分を表示窓と称する場合もある。また、背面側であるか上面側であるかに拘らず、重ねられた回転板又は小文字板に表示された文字やマーク等を、視覚的に識別できないように形成された部分のうち、視覚的に識別できるように形成された一部も表示窓（開口、切欠き等）と称する場合がある。
【００４２】
そして、太陽マーク２２の露出状態を変化させる表示窓が日出没指示部の例であり、時刻を表す複数の指標を指示する表示窓が時刻指示部の例である。
【００４３】
図５Ａは、透明な材料で形成された回転板１３０と、小文字板１２０との組み合わせで構成された日出没表示部１１０を示す図３相当の平面図、図５Ｂは図５Ａに示した日出没表示部１１０における小文字板１２０の単体を示す平面図、図５Ｃは図５Ａに示した日出没表示部１１０における回転板１３０の単体を示す平面図である。図５Ａに示した日出没表示部１１０は、図１に示した腕時計１における日出没表示部１０に代えて備えられ、日出没表示部１１０を備えた腕時計１も本発明に係る時計の一実施形態である。
【００４４】
日出没表示部１１０の小文字板１２０は、図５Ｂに示すように、小文字板２０に対して月マーク２３が形成されていない点が異なる以外は小文字板２０と同じ構成である。すなわち、小文字板１２０は、外周部に、２４時間形式で時刻を示す２，４，…，２２，２４という１２個の数字２１が配置され、数字２１よりも内周側の領域に、太陽マーク２２が配置されている。
【００４５】
日出没表示部１１０の回転板１３０は、図５Ｃに示すように、円板状に形成されている。そして、回転板１３０は、回転板３０における開口３２に対応した部分が、貫通していない透明な表示窓１３２（表示窓の一例）で形成されていて、この表示窓１３２が太陽マーク２２を透過して露出させる日出没指示部として形成されている。同様に、回転板１３０が、回転板３０における切欠き３１に対応した部分が、貫通していない透明な丸窓１３１（表示窓の一例）で形成されている。丸窓１３１は、時刻に対応した数字２１を透過して露出させる時刻指示部として形成されている。
【００４６】
なお、丸窓１３１から完全に露出される数字２１は、時刻に対応した１つに限られる。なお、回転板３０の回転位置によっては、丸窓１３１から２つの数字２１がそれぞれ部分的に露出されることはある。
【００４７】
回転板１３０は、表示窓１３２及び丸窓１３１を除いた他の部分１３５が半透明の青色で着色されている。このため、回転板１３０の背面側に配置されている小文字板１２０に形成された数字２１や太陽マーク２２は、丸窓１３１や表示窓１３２から露出していないときも、着色された部分１３５をわずかに透過して視認することは可能になっている。もちろん、この部分１３５を不透明に着色して、数字２１や太陽マーク２２が丸窓１３１や表示窓１３２から露出していないときは、着色された部分１３５に完全に隠されて視認できないようにしてもよい。
【００４８】
また、表示窓１３２や丸窓１３１は、他の部分１３５よりも透過率の高い光透過性の着色をしてもよい。この場合は、他の部分１３５よりも、表示窓１３２や丸窓１３１の方が太陽マーク２２や数字２１の視認性が高くなり、太陽マーク２２や数字２１が表示窓１３２や丸窓１３１内にあることを視認することができる。このように、視認性が高い表示窓１３２や丸窓１３１と視認性が低い他の部分１３５とで、太陽マーク２２や数字２１の視認状態を変化させてもよい。
【００４９】
このように構成された日出没表示部１１０を備えた腕時計１によっても、日出没表示部１０を備えた腕時計１と同様の効果を実現することができる。なお、丸窓１３１に代えて、日出没表示部１０の回転板３０における切欠き３１に対応した形状で透明な窓を設けてもよい。
【００５０】
（変形例２）
図５Ｃに示した回転板１３０は、日出没指示部が開口ではなく貫通していない表示窓１３２であるため、この表示窓１３２の一部を着色してもよい。図６は、図５Ｃに示した回転板１３０の表示窓１３２の、回転方向の両端に近い部分１３２ｂ，１３２ｃにグラデーションを形成したものである。表示窓１３２の一方の端部に近い部分１３２ｂは日の出の状態を示すため、中央部１３２ａよりも透明度を低くしたグラデーションを形成したことにより、朝焼けを表現することができる。同様に、表示窓１３２の他方の端部に近い部分１３２ｃは日の入りの状態を示すため、中央部１３２ａよりも透明度を低くしたグラデーションを形成したことにより、夕焼けを表現することができる。
【００５１】
（変形例３）
また、日出没表示部１０のように、回転板３０に開口３２が形成されているものでは、小文字板２０の側に、グラデーションなどを形成してもよい。図７は、小文字板２０に、数字２１、太陽マーク２２及び月マーク２３の他に、夕焼け及び朝焼けを表現したグラデーション２６と、月マーク２３の周囲に、星が輝く夜空の背景２７とを形成したものである。小文字板２０に、図７に示すように、夕焼け及び朝焼けを表現したグラデーション２６と夜空の背景２７とが形成されていることにより、回転板３０に開口３２が形成されていても、朝焼け、夕焼け、夜空等の多彩な表現を行うことができる。
【００５２】
もちろん、図７に示した小文字板２０に、図５Ｃに示した回転板１３０を組み合わせて、表示窓１３２から小文字板２０側のグラデーション２６や背景２７が視認される腕時計１を構成することもできる。
【００５３】
（変形例４）
上述した実施形態や変形例の腕時計１は、小文字板２０において、数字２１が太陽マーク２２の外周側に配置されたものであるが、本発明の時計における文字板としては、数字２１が太陽マーク２２の内周側に配置されていてもよい。図８Ａは、腕時計１において日出没表示部１０に代えて適用される日出没表示部２１０を示す平面図、図８Ｂは、図８Ａに示した日出没表示部２１０における小文字板２２０の単体を示す平面図、図８Ｃは、図８Ａに示した日出没表示部２１０における回転板２３０の単体を示す平面図である。
【００５４】
図１に示した腕時計１における日出没表示部１０に代えて、図８Ａに示した日出没表示部２１０を備えた腕時計１も、本発明に係る時計の一実施形態となる。図８Ａに示した日出没表示部２１０は、小文字板２０に代わる小文字板２２０と回転板３０に代わる回転板２３０とを備えている。小文字板２２０は、図８Ｂに示すように、太陽マーク２２と、太陽マーク２２の内周側に２，４，…，２２，２４という１２個の数字２２１が周方向に時計回りに等間隔で並んで配置されている。なお、数字２２１は、太陽マーク２２に最も近い位置に、１２時に対応した数字２２１が配置され、中心Ｃ３を挟んで太陽マーク２２から最も遠い位置に２４時に対応した数字２２１が配置されている。
【００５５】
回転板２３０は、小文字板２２０の上方に配置されて、中心Ｃ３回りで時計回り方向に２４時間周期で回転する。回転板２３０には、回転板３０の開口３２と同様の、小文字板２２０に形成された太陽マーク２２を、日の出から日の入りまでの日中の時間帯に対応して露出させる開口２３２（貫通せずに透明に形成された表示窓でもよい。以下、開口及び切欠きについて同じ。）が形成されている。また、回転板２３０には、開口２３２の内周側に、時刻に対応した１つの数字２２１を露出させる開口２３１も形成されている。
【００５６】
このように構成された日出没表示部２１０を有する腕時計１によれば、図８Ａに例示するように、開口２３１に露出した数字２２１が表す２４時間形式の時刻における日出没の状態を、開口２３２における太陽マーク２２の露出状態によって表すことができる。そして、この腕時計１によっても、上述した実施形態の腕時計１と同様の作用、効果を得ることができる。なお、日出没表示部２１０は、開口２３２と開口２３１とが近接しているため、日出没の状態と対応する時刻とを近い範囲で視認することができる。
【００５７】
（変形例５）
図９、図１０は、日出没表示部１０における回転板３０の切欠き３１のバリエーションを示す図である。図９に示した日出没表示部３１０は、回転板３０における切欠き３１に代えて、小文字板２０の１つの数字２１を露出させる丸窓３３１ａと、丸窓３３１ａに繋がって、丸窓３３１ａに露出した数字２１の両隣の数字２１の方向に向けて延び、両隣の数字２１の一部だけを露出させる円弧帯状の細長窓３３１ｂとからなる開口３３１が形成された回転板３３０を備えている。なお、回転板３３０には、小文字板２０の太陽マーク２２を露出させる開口３３２も形成されている。また、丸窓３３１ａは、切欠き３１と同様に、回転板３３０を貫通してもよいし、回転板３３０を貫通しないで透明な部分として形成してもよい。
【００５８】
図１０に示した日出没表示部４１０は、回転板３０における切欠き３１に代えて、小文字板２０の１つの数字２１を露出させる角形の切欠き４３１が形成された回転板４３０を備えている。なお、回転板４３０には、小文字板２０の太陽マーク２２を露出させる開口４３２も形成されている。
【００５９】
図１に示した腕時計１における日出没表示部１０に代えて、日出没表示部３１０を備えた腕時計１や日出没表示部４１０を備えた腕時計１も、本発明に係る時計の一実施形態となる。そして、これらの腕時計１によっても、上述した実施形態の腕時計１と同様の作用、効果を得ることができる。
【００６０】
（変形例６）
図１１Ａは、腕時計１において日出没表示部１０に代えて適用される日出没表示部５１０を示す平面図、図１１Ｂは、図１１Ａに示した日出没表示部５１０における小文字板５２０の単体を示す平面図、図１１Ｃは、図１１Ａに示した日出没表示部５１０における回転板５３０の単体を示す平面図である。
【００６１】
図１に示した腕時計１における日出没表示部１０に代えて、図１１Ａに示した日出没表示部５１０を備えた腕時計１も、本発明に係る時計の一実施形態となる。図１１Ａに示した日出没表示部５１０は、小文字板２０に代わる小文字板５２０と回転板３０に代わる回転板５３０とを備えている。小文字板５２０は、図１１Ｂに示すように、太陽マーク２２と、太陽マーク２２の外周側に、２４時間形式での時刻に対応した２，４，…，２２，２４という１２個の数字２１が周方向に時計回りに等間隔で並んで配置されている。
【００６２】
また、小文字板５２０には、数字２１のさらに外周側に、隣り合う２つの数字２１の間を５分割する目盛り２５が形成されている。目盛り２５の間隔は角度６［度］であり、２４時間周期で回転する回転板５３０との関係では、２４［分間］で目盛り２５の１つ分だけ回転板５３０が回転する。
【００６３】
回転板５３０は、小文字板５２０の上方に配置されて、中心Ｃ３回りで時計回り方向に２４時間周期で回転する。回転板５３０には、図９に示した回転板３３０の丸窓３３１ａと同様の丸窓５３１が形成されている。この丸窓５３１は、小文字板５２０に形成された、２４時間形式での時刻に対応した数字２１を露出させるものである。
【００６４】
ここで、丸窓５３１の外周側部分には三角形状の指示突起５３１ａが形成されている。そして、この指示突起５３１ａは、三角形状の頂点に対応した先端が、小文字板５２０に形成された目盛り２５を指し示すように形成されている。したがって、この日出没表示部５１０は、開口５３２における太陽マーク２２の露出状態（日出没の状態）に対応した時刻を表す数字２１を丸窓５３１に露出させるとともに、数字２１だけでは見てとれない細かい時刻を、丸窓５３１の指示突起５３１ａが指し示す目盛り２５によって特定することができる。
【００６５】
（変形例７）
図１２Ａは、腕時計１において日出没表示部１０に代えて適用される日出没表示部６１０を示す平面図、図１２Ｂは、図１２Ａに示した日出没表示部６１０における小文字板６２０の単体を示す平面図、図１２Ｃは、図１２Ａに示した日出没表示部６１０における回転板６３０の単体を示す平面図である。
【００６６】
図１に示した腕時計１における日出没表示部１０に代えて、図１２Ａに示した日出没表示部６１０を備えた腕時計１も、本発明に係る時計の一実施形態となる。図１２Ａに示した日出没表示部６１０は、小文字板２０に代わる小文字板６２０（図１２Ｂ参照）と回転板３０に代わる回転板６３０（図１２Ｃ参照）とを備えている。小文字板６２０は、図１２Ｂに示すように、太陽マーク２２と、太陽マーク２２の内周側に、２４時間形式での時刻に対応した２，４，…，２２，２４という１２個の数字２１が周方向に時計回りに等間隔で並んで配置されている。
【００６７】
また、小文字板６２０には、太陽マーク２２と同じ周上であって、数字２１の約１８から約１９に対応する範囲には夕焼けをイメージさせるグラデーション２６、数字２１の約５から約６に対応する範囲には朝焼けをイメージさせるグラデーション２６がそれぞれ表示されている。また、小文字板６２０には、太陽マーク２２と同じ周上であって、数字２１の約１９から約５に対応する範囲には夜空をイメージさせる濃紺又は黒に塗りつぶされた背景２８と、数字２１の２４の位置に、月マーク２３がそれぞれ表示されている。
【００６８】
回転板６３０は、小文字板６２０の上方に配置されて、中心Ｃ３回りで時計回り方向に２４時間周期で回転する。回転板６３０には、太陽マーク２２や月マーク２３及びグラデーション２６や背景２８の視認状態を変化させる切欠き６３２と、この太陽マーク２２等の視認状態に対応した時刻の数字２１を露出させる切欠き６３１が形成されている。
【００６９】
図１に示した腕時計１における日出没表示部１０に代えて、日出没表示部６１０を備えた腕時計１も、上述した実施形態の腕時計１と同様の作用、効果を得ることができる。
【００７０】
（変形例８）
上述した実施形態や各変形例は、時刻に対応した複数の指標が文字板に表示され、これらの指標を指示する時刻指示部の一例である表示窓（開口、切欠き、透明な部分等）が回転板に形成されたものであるが、本発明に係る時計は、これらの形態に限定されるものではない。すなわち、本発明に係る時計は、時刻に対応した複数の指標が回転板に表示され、これらの指標を指示する時刻指示部が文字板に形成されたものであってもよい。
【００７１】
図１３Ａは、腕時計１において日出没表示部１０に代えて適用される日出没表示部７１０を示す平面図、図１３Ｂは、図１３Ａに示した日出没表示部７１０における小文字板７２０の単体を示す平面図、図１３Ｃは、図１３Ａに示した日出没表示部７１０における回転板７３０の単体を示す平面図である。
【００７２】
図１に示した腕時計１における日出没表示部１０に代えて、図１３Ａに示した日出没表示部７１０を備えた腕時計１も、本発明に係る時計の一実施形態となる。図１３Ａに示した日出没表示部７１０は、小文字板２０に代わる小文字板７２０と回転板３０に代わる回転板７３０とを備えている。小文字板７２０は、金属で形成してもよいし、樹脂で形成してもよい。小文字板７２０は、図１３Ｂに示すように、太陽マーク２２と、中心Ｃ３を挟んで太陽マーク２２と反対側に月マーク２３と、太陽マーク２２よりも外周側の部分に、着色された円弧帯状の目隠し帯７３３とが形成されている。
【００７３】
回転板７３０は、透明な樹脂やガラス等で形成されている。回転板７３０は、小文字板７２０の上方に配置されて、中心Ｃ３回りで時計回り方向に２４時間周期で回転する。回転板７３０には、中心Ｃ３を一致させて回転板７３０を小文字板７２０に重ねた状態で、図１３Ｃに示すように、半径方向において小文字板７２０の目隠し帯７３３に重なる領域に、２４時間形式での時刻に対応した２，４，…，２２，２４という１２個の数字２１が、この順序で等間隔（中心Ｃ３回りの回転角度３０［度］間隔）に反時計回りに並んで表示されている。
【００７４】
また、回転板７３０の、数字２１よりも内周側の範囲には、濃い色の円形状の背景７３４が表示されている。この背景７３４は、太陽マーク２２が重ね合わされると、太陽マーク２２を視覚的に識別できなくなる色で着色されている。そのような色としては，太陽マーク２２と同色か、又は不透明であってもよい。したがって、背景７３４だけ金属や不透明な印刷で形成してもよい。
【００７５】
背景７３４には、中心Ｃ３を一致させて小文字板７２０に重ねた状態で、回転板７３０の特定の回転角度においてのみ太陽マーク２２を露出させる表示窓７３２が形成されている。具体的には、この表示窓７３２は、背景７３４を含めて円形の部分のうち着色されずに透明のままで、太陽マーク２２を透過して露出させるように形成されている部分である。なお、表示窓７３２は、回転板７３０を厚さ方向に貫通して開けられた開口であってもよい。
【００７６】
一方、小文字板７２０の目隠し帯７３３は、中心Ｃ３を一致させて小文字板７２０を回転板７３０に重ねた状態で、表示窓７３２から太陽マーク２２が露出している特定の回転角度において、回転板７３０の１２の数字２１が配置される円弧の範囲に、目隠し帯７３３の無い表示窓７３１が形成されている。ここで、目隠し帯７３３は、回転板７３０の数字２１が重ね合わされた状態で、数字２１を視覚的に識別できなくなる色で着色されているが、この表示窓７３１の部分は、数字２１を視覚的に識別できるようにした色で着色されている。そのような色としては、数字２１の色を際立たせる色であることが好ましいが、そのような色でなくてもよく、例えば数字２１が黒色の場合は、表示窓７３１は白色などでもよい。
【００７７】
このように構成された日出没表示部７１０を備えた腕時計１によっても、上述した実施形態の腕時計１と同様に、日出没表示部７１０における太陽マーク２２により日出没の状態を直感的に表しつつ、その日出没の状態に対応した時刻を表示することができる。
【００７８】
しかも、この日出没表示部７１０は、２４時間形式で時刻を指し示す２４時間表示部を有する既存の腕時計において、中心Ｃ３回りに回転する指針に代えて回転板７３０を配置し、２４時間表示部の既存の小文字板に太陽マーク２２、月マーク２３及び目隠し帯７３３の記載を追加した小文字板７２０とすることで構成することができる。したがって、日出没表示部７１０のムーブメントとして専用のムーブメントを用いる必要がなく、２４時間表示部の指針用の既存の汎用ムーブメントをそのまま使うことができる。
【００７９】
なお、目隠し帯７３３の周方向における表示窓７３１の位置は、図１３Ｂに示した６時の位置に限定されるものではなく、１２時の位置や３時の位置や９時の位置や、その他の位置であってもよい。この場合、回転板７３０に形成された数字２１の配置も、表示窓７３１の位置に対応したものとなる。
【００８０】
（変形例９）
図１４Ａは、腕時計１において日出没表示部７１０に代えて適用される日出没表示部８１０を示す平面図、図１４Ｂは、図１４Ａに示した日出没表示部８１０における小文字板８２０の単体を示す平面図、図１４Ｃは、図１４Ａに示した日出没表示部８１０における回転板８３０の単体を示す平面図である。
【００８１】
図１３Ａに示した腕時計１における日出没表示部７１０に代えて、図１４Ａに示した日出没表示部８１０を備えた腕時計１も、本発明に係る時計の一実施形態となる。図１４Ａに示した日出没表示部８１０は、小文字板７２０に代わる小文字板８２０と、回転板７３０に代わる回転板８３０とを備えている。小文字板８２０は、金属で形成してもよいし、樹脂で形成してもよい。小文字板８２０は、図１４Ｂに示すように、太陽マーク２２と、中心Ｃ３を挟んで太陽マーク２２と反対側に月マーク２３と、太陽マーク２２よりも外周側の部分に、着色された円弧帯状の目隠し帯８３３とが形成されている。
【００８２】
目隠し帯８３３は、図１３Ｂに示した小文字板７２０における目隠し帯７３３と、基本的に同じであるが、目隠し帯８３３のうち表示窓７３１に対応する表示窓８３１に近い両端部にそれぞれ、グラデーション８３５が形成されている。グラデーション８３５は、表示窓８３１に近づくにしたがって目隠し帯８３３の色が表示窓８３１の色に近づくように徐々に色が変化している。
【００８３】
回転板８３０は、透明な樹脂やガラス等で形成されている。回転板８３０は、小文字板８２０の上方に配置されて、中心Ｃ３回りで時計回り方向に２４時間周期で回転する。回転板８３０は、図１３Ｃに示した回転板７３０と基本的に同様の構成であり、図１４Ｃに示すように、半径方向において小文字板８２０の目隠し帯８３３に重なる領域に、２４時間形式での時刻に対応した２，４，…，２２，２４という１２個の数字２１が、この順序で等間隔（中心Ｃ３回りの回転角度３０［度］間隔）に反時計回りに並んで表示されている。
【００８４】
また、回転板８３０の、数字２１よりも内周側の範囲には、濃い色の円形状の背景８３４が表示されている。この背景８３４は、太陽マーク２２が重ね合わされると、太陽マーク２２を視覚的に識別できなくなる色で着色されている。そのような色としては，太陽マーク２２と同色か、又は不透明であってもよい。したがって、背景８３４だけ金属や不透明な印刷で形成してもよい。
【００８５】
背景８３４には、中心Ｃ３を一致させて小文字板８２０に重ねた状態で、回転板８３０の特定の回転角度においてのみ太陽マーク２２を露出させる表示窓８３２が形成されている。具体的には、この表示窓８３２は、回転板８３０を貫通して開けられた孔（開口）であるが、円形状の背景８３４のうち着色されずに透明のままで太陽マーク２２を透過させるように形成されていてもよい。
【００８６】
このように構成された日出没表示部８１０を備えた腕時計１によっても、上述した実施形態の腕時計１と同様、日出没表示部８１０における太陽マーク２２により日出没の状態を直感的に表しつつ、その日出没の状態に対応した時刻を表示することができる。
【００８７】
しかも、この日出没表示部８１０は、２４時間形式で時刻を指し示す２４時間表示部を有する既存の腕時計において、中心Ｃ３回りに回転する指針に代えて回転板８３０を配置し、２４時間表示部の既存の小文字板に太陽マーク２２、月マーク２３及び目隠し帯８３３の記載を追加した小文字板８２０とすることで構成することができる。したがって、日出没表示部８１０のムーブメントとして専用のムーブメントを用いる必要がなく、２４時間表示部の指針用の既存の汎用ムーブメントをそのまま使うことができる。
【００８８】
さらに、日出没表示部８１０は、表示窓８３１に露出した数字２１に隣接する一方の数字２１を、グラデーション８３５から徐々に露出させることができる。同様に、日出没表示部８１０は、表示窓８３１に露出した数字２１に隣接する他方の数字２１を、グラデーション８３５に徐々に隠していくことができる。
【００８９】
（変形例１０）
図１５Ａは、腕時計１において日出没表示部７１０に代えて適用される日出没表示部９１０を示す平面図、図１５Ｂは、図１５Ａに示した日出没表示部９１０における小文字板９２０の単体を示す平面図、図１５Ｃは、図１５Ａに示した日出没表示部９１０における回転板９３０の単体を示す平面図である。
【００９０】
図１３Ａに示した腕時計１における日出没表示部７１０に代えて、図１５Ａに示した日出没表示部９１０を備えた腕時計１も、本発明に係る時計の一実施形態となる。図１５Ａに示した日出没表示部９１０は、小文字板７２０に代わる小文字板９２０と、回転板７３０に代わる回転板９３０とを備えている。小文字板９２０は、金属で形成してもよいし、樹脂で形成してもよい。小文字板９２０は、図１５Ｂに示すように、太陽マーク２２と、中心Ｃ３を挟んで太陽マーク２２と反対側に月マーク２３と、太陽マーク２２よりも外周側の部分に、着色された円弧帯状の目隠し帯９３３とが形成されている。
【００９１】
目隠し帯９３３は、図１３Ｂに示した小文字板７２０における目隠し帯７３３と基本的に同じであるが、表面に形成された同心円状の多数の溝９３８（後述の図１６Ｂ参照）を着色しためっきで埋められて、重ねられた回転板９３０の数字２１を視覚的に識別できなくしている。具体的な製造方法については後述する。なお、目隠し帯９３３のうち表示窓７３１に対応する表示窓９３１に近い両端部は両端部以外の部分に比べて、溝９３８の深さが浅く、かつ溝９３８の幅も狭いため、溝９３８に埋められたインクによる着色状態が、両端以外の部分に比べて淡い状態となり、図１４Ｂに示した目隠し帯８３３におけるグラデーション８３５と同様の効果を発揮する。
【００９２】
回転板９３０は、透明な樹脂やガラス等で形成されている。回転板９３０は、小文字板９２０の上方に配置されて、中心Ｃ３回りで時計回り方向に２４時間周期で回転する。回転板９３０は、図１３Ｃに示した回転板７３０又は図１４Ｃに示した回転板８３０と基本的に同様の構成であり、図１５Ｃに示すように、半径方向において小文字板９２０の目隠し帯９３３に重なる領域に、２４時間形式での時刻に対応した２，４，…，２２，２４という１２個の数字２１が、この順序で等間隔（中心Ｃ３回りの回転角度３０［度］間隔）に反時計回りに並んで表示されている。
【００９３】
また、回転板９３０の、数字２１よりも内周側の範囲には、濃い色の円形状の背景９３４が表示されている。この背景９３４は、太陽マーク２２が重ね合わされると、太陽マーク２２を視覚的に識別できなくなる色で着色されている。背景９３４のうち、中心Ｃ３を一致させて小文字板９２０に重ねた状態で、回転板９３０の特定の回転角度においてのみ太陽マーク２２を露出させる表示窓９３２が形成されている。具体的には、この表示窓９３２は、回転板９３０を貫通して開けられた孔（開口）であってもよいし、円形状の背景９３４のうち着色されずに透明のままで太陽マーク２２を透過させるように形成されていてもよい。
【００９４】
太陽マーク２２を視覚的に識別できなくなる色としては，太陽マーク２２と同色か、又は不透明であってもよい。なお、背景９３４のうち表示窓９３２に近い部分に、グラデーション９３６が形成されている。
【００９５】
図１６Ａは、小文字板９２０の目隠し帯９３３の溝９３８を形成する製造方法を示す側面図、図１６Ｂは、図１６Ａに示した製造方法により溝９３８が形成された小文字板９２０を示す平面図、図１６Ｃは、図１６Ｂに示した溝９３８にめっきが埋められて、着色された目隠し帯９３３が形成された小文字板９２０を示す平面図である。
【００９６】
上述した小文字板９２０の目隠し帯９３３は、例えば、以下に説明する製造方法で形成することができる。すなわち、図１６Ａに示すように、小文字板９２０を動かないように支持する。ここで、小文字板９２０の中心Ｃ３を通り、小文字板９２０の表面９２０ａに直交する軸Ｙ′に対して適当な角度（例えば、５〜１０［度］）だけ傾いている回転軸Ｙ回りに回転し、回転軸Ｙに平行に延びたブラシ９８０を配置する。
【００９７】
このとき、ブラシ９８０は、小文字板９２０の半径方向の外周部分に対応する領域に配置され、ブラシ９８０の先端が、回転軸Ｙを鉛直方向とした姿勢における小文字板９２０の最も低い位置から離れた位置に配置されている。ブラシ９８０は、回転軸Ｙ回りに回転するが、小文字板９２０の表面９２０ａは、回転軸Ｙに直交する面に対して傾いている。したがって、ブラシ９８０が回転軸Ｙ回りに１回転する間に、ブラシ９８０の先端が小文字板９２０の表面９２０ａに接触し、図１６Ｂに示すように、回転に伴って接触しながらブラシ９８０の先端が動いた表面９２０ａに、同心円状の溝９３８が形成される。
【００９８】
図１６Ｂにおいて、小文字板９２０の表面９２０ａのうち、半径方向の外周部分に対応する領域で、同心円状の溝９３８が形成されていない部分は、回転軸Ｙに沿った小文字板９２０の最も低い位置の部分であるため、ブラシ９８０が接触しない。この溝９３８が形成されなかった部分が、前述した表示窓９３１となる。
【００９９】
なお、溝９３８は、ブラシ９８０が接触し始める部分９３８ａと接触が終わる部分９３８ｂにおいては、深さが浅く、かつ幅も狭い。一方、ブラシ９８０が、接触し始める部分９３８ａから移動して、小文字板９２０との接触が進んだ部分は、溝９３８の深さは深く、かつ幅も広くなる。なお、この例では、溝９３８の深さが最も深く、かつ幅が最も広くなるのは、Ｙ軸方向に沿って最も高い位置の部分９３８ｃである。このように、同心円状の多数の溝９３８が形成された小文字板９２０は、この溝９３８を埋めるように、溝９３８の表面にめっきが施されて着色される。そして、図１６Ｃに示すように、溝９３８を埋めためっきにより、目隠し帯９３３が形成される。
【０１００】
目隠し帯９３３の両端部は、前述したように、形成された溝９３８の深さが浅く、かつ幅が狭いため、溝９３８を埋めためっきが、他の部分よりも薄い層で、かつ疎らになる。したがって、目隠しの効果は、接触し始める部分９３８ａと接触し終わる部分９３８ｂで最も小さく、Ｙ軸方向に沿って最も高い位置の部分９３８ｃで最も大きくなる。そして、接触し始める部分９３８ａ及び接触し終わる部分９３８ｂと、Ｙ軸方向に沿って最も高い位置の部分９３８ｃとの間で、目隠しの効果が徐々に変化するグラデーションとして機能する。
【０１０１】
なお、目隠し帯９３３は、溝に代えて凹状に形成されたエンボスにめっきが埋められた構造であってもよい。したがって、図１６Ａに示した、同心円状の溝９３８を形成する加工に代えて、プレス等によりエンボスを形成する加工によりめっきが埋められる凹状の部分を形成してもよい。この場合は、溝９３８と同様な深さに凹状のエンボスを形成するとよい。
【０１０２】
このように構成された日出没表示部９１０を備えた腕時計１によっても、上述した実施形態の腕時計１と同様、日出没表示部９１０における太陽マーク２２により日出没の状態を直感的に表しつつ、その日出没の状態に対応した時刻を表示することができる。
【０１０３】
しかも、この日出没表示部９１０は、２４時間形式で時刻を指し示す２４時間表示部を有する既存の腕時計において、中心Ｃ３回りに回転する指針に代えて回転板９３０を配置し、２４時間表示部の既存の小文字板に太陽マーク２２、月マーク２３及び目隠し帯９３３の記載を追加した小文字板９２０とすることで構成することができる。したがって、日出没表示部９１０のムーブメントとして専用のムーブメントを用いる必要がなく、２４時間表示部の指針用の既存の汎用ムーブメントをそのまま使うことができる。
【０１０４】
さらに、日出没表示部９１０は、表示窓９３１に露出した数字２１に隣接する一方の数字２１を、目隠し帯９３３のグラデーションから徐々に露出させることができる。同様に、日出没表示部９１０は、表示窓９３１に露出した数字２１に隣接する他方の数字２１を、目隠し帯９３３のグラデーションによって徐々に隠していくことができる。
【０１０５】
上述した各変形例７〜９において、小文字板７２０，８２０，９２０は、目隠し帯７３３，８３３，９３３の表示窓７３１，８３１，９３１によって、回転板７３０，８３０，９３０に形成された各数字２１のうち特定の数字２１を露出させることで、現在時刻に対応した数字２１を指示する。しかし、本発明に係る時計は、このような目隠し帯７３３，８３３，９３３の表示窓７３１，８３１，９３１以外の形態の時刻指示部によって、現在時刻に対応した数字２１を指し示すようにしてもよい。
【０１０６】
すなわち、例えば、目隠し帯７３３，８３３，９３３及びその表示窓７３１，８３１，９３１を形成せず、図１３Ｂ、図１４Ｂ、図１５Ｂにそれぞれ示した表示窓７３１，８３１，９３１の周方向の中央部付近であって、半径方向の内側の位置又は外側の位置に、数字２１を指し示すマーク（例えば、▲や△など）を表示してもよい。このようなマークは、数字を覆い隠さないように、数字２１とは重ならない位置に設けるのが好ましい。このようなマークも、本発明における時刻指示部の一例であり、これにより、マークで指し示された数字２１を、現在時刻として、使用者に視認させることができる。
【０１０７】
本発明に係る時計は、日出没の状態の表示用の太陽マークが表示された文字板と、文字板を覆って２４時間周期で回転し、その回転位置に応じて太陽マークの視認状態を変化させる日出没指示部を有する回転部材と、を備え、文字板と回転部材とのうち一方に時刻を表す複数の指標が表示され、他方に回転部材の回転位置に応じて指標を指示する時刻指示部が形成され、時刻指示部と日出没指示部とは、日出没指示部による太陽マークの視認状態が、時刻指示部により指示された指標に対応した時刻における日出没の状態となる位置関係で配置されているものであればよく、上述した実施形態や変形例の態様に限定されるものではない。
【０１０８】
また、本発明に係る時計は、実施形態に示した腕時計に限定されるものでもなく、置時計や掛け時計、懐中時計等、各種の時計に適用することができる。
【関連出願の相互参照】
【０１０９】
本出願は、２０１６年３月９日に日本国特許庁に出願された特願２０１６−０４５７２２に基づいて優先権を主張し、その全ての開示は完全に本明細書で参照により組み込まれる。
【図１】
0006757789.tif 000002
【図２】
0006757789.tif 000003
【図３】
0006757789.tif 000004
【図４Ａ】
0006757789.tif 000005
【図４Ｂ】
0006757789.tif 000006
【図４Ｃ】
0006757789.tif 000007
【図４Ｄ】
0006757789.tif 000008
【図５Ａ】
0006757789.tif 000009
【図５Ｂ】
0006757789.tif 000010
【図５Ｃ】
0006757789.tif 000011
【図６】
0006757789.tif 000012
【図７】
0006757789.tif 000013
【図８Ａ】
0006757789.tif 000014
【図８Ｂ】
0006757789.tif 000015
【図８Ｃ】
0006757789.tif 000016
【図９】
0006757789.tif 000017
【図１０】
0006757789.tif 000018
【図１１Ａ】
0006757789.tif 000019
【図１１Ｂ】
0006757789.tif 000020
【図１１Ｃ】
0006757789.tif 000021
【図１２Ａ】
0006757789.tif 000022
【図１２Ｂ】
0006757789.tif 000023
【図１２Ｃ】
0006757789.tif 000024
【図１３Ａ】
0006757789.tif 000025
【図１３Ｂ】
0006757789.tif 000026
【図１３Ｃ】
0006757789.tif 000027
【図１４Ａ】
0006757789.tif 000028
【図１４Ｂ】
0006757789.tif 000029
【図１４Ｃ】
0006757789.tif 000030
【図１５Ａ】
0006757789.tif 000031
【図１５Ｂ】
0006757789.tif 000032
【図１５Ｃ】
0006757789.tif 000033
【図１６Ａ】
0006757789.tif 000034
【図１６Ｂ】
0006757789.tif 000035
【図１６Ｃ】
0006757789.tif 000036